(57)【特許請求の範囲】
【請求項１】
被押動部を有していて駆動ばねに付勢されて羽根群に露光走行を行わせる駆動部材と、電磁石の吸着面に吸着され得る被吸着面を有していてセット状態になるときには相対位置関係を変え得るようにして前記駆動部材に取り付けられた鉄片部材と、前記被押動部に係接し得る押動部を有しておりセット時に該押動部が前記被押動部を押して前記駆動ばねに抗して前記駆動部材を作動させレリーズ後における前記電磁石への通電後には羽根群の露光走行に先立って初期位置へ復帰するようにしたセット部材と、セット時に前記セット部材に押動されセット状態においては前記被吸着面が前記吸着面に接するように前記鉄片部材を押圧しており前記セット部材の初期位置への復帰に際し前記押動部が前記被押動部から離れた後に前記鉄片部材への押圧を解き前記鉄片部材の作動軌跡外へ退避するようにした押圧部材とを備えていることを特徴とするフォーカルプレンシャッタ。
【請求項２】
前記駆動部材と前記鉄片部材との間に、セット状態において前記被吸着面が前記吸着面に押しつけられることによって緊張される押さえばねを介在させたことを特徴とする請求項１に記載のフォーカルプレンシャッタ。
【請求項３】
前記被押動部が、前記駆動部材に取り付けられた遥動部材に設けられ、前記駆動ばねが該遥動部材を介して前記駆動部材を付勢していることを特徴とする請求項１に記載のフォーカルプレンシャッタ。
【請求項４】
前記押圧部材が弾性部を有していて、その弾性が前記鉄片部材の押圧に作用するようにしていることを特徴とする請求項１乃至３の何れかに記載のフォーカルプレンシャッタ。
【請求項５】
前記押圧部材が前記鉄片部材を押圧する面の形状が、前記鉄片部材に対して凸状の球面又は円弧面に形成されていることを特徴とする請求項１乃至４の何れかに記載のフォーカルプレンシャッタ。
【請求項６】
前記鉄片部材が前記押圧部材によって押される面の形状が、前記押圧部材に対して凸状の球面又は円弧面に形成されていることを特徴とする請求項１乃至５の何れかに記載のフォーカルプレンシャッタ。
【発明の詳細な説明】
【０００１】
【発明の属する技術分野】
本発明は、撮影に際し、先羽根群と後羽根群とを同一方向へ順次走行させ、それらによって形成されるスリットによってフィルムを露光するようにしたカメラ用のフォーカルプレンシャッタに関する。
【０００２】
【従来の技術】
最近のフォーカルプレンシャッタは、先羽根群と後羽根群が、各々の駆動部材によって作動されるが、それらの駆動部材の作動開始時機は、夫々に用意された電磁石を介して制御されるようになっている。そして、駆動部材に対する電磁石の用い方には、大きく分けて二つのタイプがあり、その一方は実開昭６１−１１１３９号公報等で知られているものであって、一般には係止タイプと言われているものであり、他方は実開昭６２−２２６３６号公報等で知られており、一般にはダイレクトタイプと言われているものである。
【０００３】
このうち、係止タイプは、古くから実施されているものであり、セット位置においては、駆動部材を係止レバーで係止しておくようにしたものである。そのため、駆動部材をセット位置にセットした後、セット部材を直ちに初期位置に復帰させても、駆動部材を露光作動時まで確実にセット位置に保持しておけるので、撮影に際し、セット部材を初期位置に復帰させるための時間を見込まずに済み、シャッターチャンスを逸する虞を少なくできるという利点がある。また、撮影に際して電磁石に通電したとき、強力な駆動ばねの力に抗して駆動部材を磁気的に保持する必要がなく、係止レバーによる駆動部材の係止を解除するために設けられた所謂鉄片レバーを吸着するだけでよいため、電磁石による保持力を大きくしなくて済むという利点もある。
【０００４】
しかしながら、その反面、上記した係止レバーや鉄片レバーのほかに、セット部材のセット操作に連動して鉄片レバーを電磁石による吸着可能位置に移動させ、露光作動に先立って鉄片レバーが電磁石に吸着された後、該鉄片レバーの作動域から退くようにした所謂ホールドレバー等が必要となり、しかも、これらの各レバーには夫々ばねが掛けられていることもあって、部品点数が多く、構造が複雑になってしまうほか、製作時において各部品間の作動調整等が面倒になり、シャッタのコンパクト化，低コスト化にとって大変不利な点を有している。
【０００５】
これに対して、ダイレクトタイプは、駆動部材に取り付けられた鉄片部材を電磁石によって吸着するようにしたものである。そのため、セット部材は、駆動部材をセット位置にセットした後、直ぐには初期位置に復帰させることができず、露光作動に先立って駆動部材が電磁石によって磁気的に保持された後、羽根群の露光走行に先立って初期位置に復帰させることになる。しかしながら、このようにしてレリーズ後に復帰作動のための時間が必要になるとはいえ、このような時間は、ミラーアップに要する時間や自動焦点調節等に要する時間に並行させることができるので、最近では殆ど問題視されなくなっている。このようなことから、ダイレクトタイプのシャッタは、係止タイプのように上記した各種のレバー等が不要となり、スペース的且つコスト的に極めて有利であるため、最近では、このタイプのシャッタが増えている。本発明は、このようなダイレクトタイプタイプのフォーカルプレンシャッタに関するものである。
【０００６】
ところで、このようなダイレクトタイプタイプのシャッタは、駆動ばねの強い力に抗して、電磁石によって駆動部材を磁気的に吸着・保持させるものであるため、露光作動に先立って電磁石に通電されるときには、駆動部材に取り付けられた鉄片部材の被吸着面が、電磁石の吸着面に対し適正な接触状態（密接状態）にあることが要求される。そのため、実際に実施する場合には、部品加工上の誤差や組立加工上の誤差が多少あったとしても、駆動部材がセット部材によってセットされたとき、そのような誤差に影響されることなく、上記した適正な接触状態が得られるように工夫されている。
【０００７】
その一例が、特開平３−２３１７２３号公報に記載されている。この例によれば、駆動部材（駆動レバー）と鉄片部材（アーマチャ）の間に、ばね（吸収バネ）を介在させている。このばねは、セット部材（チャージレバー）が駆動部材をセット位置に作動させたとき、鉄片部材の被吸着面が電磁石（ヨーク）の吸着面に適正に接触した後、圧縮されるようになっており、その圧縮量によって、個々のシャッタごとの違いや、先羽根側と後羽根側との違いを吸収し、セット作動が支障なく行えるようにしている。
【０００８】
【発明が解決しようとする課題】
上記したように、ダイレクトタイプのシャッタは、係止タイプのシャッタに比較して、スペース的且つコスト的には極めて有利であるが、駆動ばねの強い力に抗して駆動部材を磁気的に保持する必要があるため、消費電力の点では問題が残っている。そのため、駆動部材の吸着保持を確実に行えるものであって、しかも、出来るだけ少ない消費電力で済むようにした改善策の出現が望まれている。しかしながら、その改善策を考える場合には、電磁石による吸着力を、駆動ばねの付勢力に勝る最小限の値となるように設定すれば、それで問題がないというわけにはいかない。
【０００９】
即ち、上記した特開平３−２３１７２３号公報に記載されたもにおいては、露光作動に先立ってセット部材を初期位置に復帰させると、その復帰過程においてセット部材が駆動部材の押圧を解除したときに、駆動部材は、鉄片部材と駆動部材との間に介在したばねと、駆動ばねとの合成力によって、僅かに回転され、鉄片部材に当接して該鉄片部材に対して電磁石から離反するような衝撃を与えることになる。従って、鉄片部材に対する電磁石の吸着力は、上記の当接によって生じる衝撃力に対して充分耐え得る力を有していなければならなくなる。
【００１０】
本発明は、このような問題点を解決するためになされたものであり、その目的とするところは、ダイレクトタイプのフォーカルプレンシャッタにおいて、露光走行に先立ってセット部材が初期位置へ復帰するに際し、該セット部材による押圧が解けることによって駆動部材が露光作動開始位置に僅かに作動したとき、その作動によって鉄片部材に当接する力が鉄片部材を電磁石から離反させないようにしたカメラ用のフォーカルプレンシャッタを提供することである。
【００１１】
【課題を解決するための手段】
上記の目的を達成するために、本発明におけるカメラ用のフォーカルプレンシャッタは、被押動部を有していて駆動ばねに付勢されて羽根群に露光走行を行わせる駆動部材と、電磁石の吸着面に吸着され得る被吸着面を有していてセット状態になるときには相対位置関係を変え得るようにして前記駆動部材に取り付けられた鉄片部材と、前記被押動部に係接し得る押動部を有しておりセット時に該押動部が前記被押動部を押して前記駆動ばねに抗して前記駆動部材を作動させレリーズ後における前記電磁石への通電後には羽根群の露光走行に先立って初期位置へ復帰するようにしたセット部材と、セット時に前記セット部材に押動されセット状態においては前記被吸着面が前記吸着面に接するように前記鉄片部材を押圧しており前記セット部材の初期位置への復帰に際し前記押動部が前記被押動部から離れた後に前記鉄片部材への押圧を解き前記鉄片部材の作動軌跡外へ退避するようにした押圧部材とを備えているようにする。
また、本発明におけるカメラ用のフォーカルプレンシャッタにおいては、好ましくは、前記駆動部材と前記鉄片部材との間に、セット状態において前記被吸着面が前記吸着面に押しつけられることによって緊張される押さえばねを介在させるようにする。
また、本発明におけるカメラ用のフォーカルプレンシャッタにおいては、好ましくは、前記被押動部が、前記駆動部材に取り付けられた遥動部材に設けられ、前記駆動ばねが該遥動部材を介して前記駆動部材を付勢するようにする。
【００１２】
また、本発明におけるカメラ用のフォーカルプレンシャッタにおいては、好ましくは、前記押圧部材が弾性部を有していて、その弾性が前記鉄片部材の押圧に作用するようにする。
また、本発明におけるカメラ用のフォーカルプレンシャッタにおいては、好ましくは、前記押圧部材が前記鉄片部材を押圧する面の形状が、前記鉄片部材に対して凸状の球面又は円弧面となるようにする。
更に、本発明におけるカメラ用のフォーカルプレンシャッタにおいは、好ましくは、前記鉄片部材が前記押圧部材によって押される面の形状が、前記押圧部材に対して凸状の球面又は円弧面となるようにする。
【００１３】
【発明の実施の形態】
本発明の実施の形態を図１乃至図１０に示した実施例で説明する。図１は本実施例の平面図であって、先羽根群と後羽根群による露光走行の完了状態を示している。図２は本実施例における各羽根群の支持構成を説明するための平面図である。図３乃至図１０は夫々本実施例の平面図であって、図１の状態からの作動状態を説明するためのものである。尚、図１１（ａ），（ｂ）は本実施例中に示した鉄片部材の変形例を説明するための図面であり、また、図１２（ａ），（ｂ）は本発明を適用することのできる公知のシャッタ構成の一部を示した説明図である。
【００１４】
先ず、主に図１及び図２を用いて本実施例の構成を説明する。尚、図１は、他の図４乃至図１０と同様にして一部の構成を断面で示しており、また図２は、図１においてシャッタ地板１の表面側（カメラのレンズ側）に取り付けられている各部品を取り外した状態を示している。シャッタ地板１は露光用の開口部１ａのほかに、二つの円弧状の孔１ｂ，１ｃと孔１ｄを有している。そして、円弧状の孔１ｂ，１ｃの下方端には、ブチルゴム等の弾性材料からなる周知の緩衝部材２，３が嵌め込まれている。
【００１５】
また、シャッタ地板１の表面側には、軸１ｅ，１ｆ，１ｇ，１ｈ，１ｉ，１ｊ，１ｋ，１ｍ，１ｎ，１ｐが立設されており、軸１ｅ，１ｆには夫々合成樹脂製の先羽根駆動部材４と後羽根駆動部材５が回転可能に取り付けられている。そして、各駆動部材４，５には、軸１ｅ，１ｆに回転可能に嵌合する円筒部４ａ，５ａ、駆動ピン４ｂ，５ｂ、取付部４ｃ，５ｃ、被押動部４ｄ，５ｄが一体成形にて設けられている。このうち、駆動ピン４ｂ，５ｂは、孔１ｂ，１ｃを貫通し、周知のようにシャッタ地板１の背面側で先羽根群と後羽根群の主アーム６，７に形成された孔６ａ，７ａに嵌合している。
【００１６】
また、取付部４ｃ，５ｃには、鉄片部材８，９が取り付けられている。この鉄片部材８，９は、後で説明する電磁石に吸着される鉄片８ａ，９ａと、鉄片軸８ｂ，９ｂとで構成され、鉄片軸８ｂ，９ｂは取付部４ｃ，５ｃに形成された孔に緩く嵌合している。そして、鉄片８ａ，９ａは図面の垂直方向に長い形状をしていて、その略中間位置で鉄片軸８ｂ，９ｂの一方の端部と一体化されている。鉄片軸８ｂ，９ｂの他方の端部８ｂ1 ，９ｂ1 は、鍔状になっていて、鉄片部材８，９が取付部４ｃ，５ｃから抜け落ちないようになっている。そして、この鉄片部材８，９は、取付部４ｃ，５ｃに内蔵された押さえばね１０，１１によって図１において上方へ付勢されている。更に、被押動部４ｄ，５ｄの端縁はカム形状に形成されている。
【００１７】
各駆動部材４，５の円筒部４ａ，５ａには、周知のように駆動ばね１２，１３が緩く巻装されており、夫々一端を軸１ｋ，１ｍに、また他端を取付部４ｃ，５ｃに掛け、各駆動部材４，５を時計方向に回転させるように付勢している。また、軸１ｇには合成樹脂製のセット部材１４が回転可能に取り付けられている。そして、このセット部材１４には、軸１ｇに回転可能に嵌合する円筒部１４ａ、二つの押動部１４ｂ，１４ｃ、表面側の突起部１４ｄ、背面側の突起部１４ｅ及びピン１４ｆが、一体成形にて設けられている。
【００１８】
このうち、押動部１４ｂは先羽根駆動部材４の被押動部４ｄに、また押動部１４ｃは後羽根駆動部材５の被押動部５ｄに、夫々接触し得るようになっており、夫々の端縁はカム形状に形成されている。また、突起部１４ｄは、カメラ本体側の部材によって操作されるためのものである。更に、突起部１４ｅは、シャッタ地板１の孔１ｄに嵌入し、セット部材１４の回転が、図面上、孔１ｄの上下端で規制されるようになっている。そして、このセット部材１４は、軸１ｊと突起部１４ｄに掛けたばね１５によって、反時計方向へ付勢されているが、図１においてはその反時計方向への回転を孔１ｄの下端で規制されている。
【００１９】
周知であるため図示を省略しているが、シャッタ地板１には、該地板と略平行になるようにして取付板（上板とも称されることがある）が固定されている。この取付板には、一点鎖線で示すように、二つの電磁石１６，１７が周知の適宜な方法で取り付けられている。そして、これらの電磁石１６，１７は、略Ｕ字形をしていて二つの磁極部（図１においてはシャッタ地板１に対して二つの磁極部が垂直方向に配列されるようにして取り付けられている）を有する鉄芯部材１６ａ，１７ａと、一つの磁極部に嵌装されたコイルボビン１６ｂ，１７ｂとで構成されており、夫々の磁極部の先端面（図において右下方の端面）が夫々の鉄片部材８，９を吸着するための吸着面となっている。
【００２０】
シャッタ地板１の軸１ｈ，１ｉには、夫々押圧部材１８，１９が回転可能に取り付けられており、それらの押圧部材１８，１９と軸１ｎ，１ｐとに掛けられた夫々のばね２０，２１によって反時計方向へ付勢され、その回転を軸１ｎ，１ｐによって規制されるようになっている。各押圧部材１８，１９には、弾性（ばね性）を有する折曲部１８ａ，１９ａが形成され、各先端に押圧部１８ｂ，１９ｂを設けてある。そして、押圧部材１８には、セット部材１４のピン１４ｆと摺接する二つの端面１８ｃ，１８ｄが形成され、押圧部材１９には長孔１９ｃが形成されている。また、シャッタ地板１の軸１ｊには、伝達部材２２が回転可能に取り付けられており、一方の腕部には、長孔１９ｃに嵌合するピン２２ａが立設され、他方の腕部には、セット部材１４のピン１４ｆと摺接する二つの端面２２ｂ，２２ｃが形成されている。
【００２１】
次に、本実施例の作動を説明する。図１及び図２は、先羽根群と後羽根群による露光走行の完了状態を示している。従って、この状態においては、先羽根群を構成する４枚の羽根は重畳されて開口部１ａの下方位置に格納され、後羽根群を構成する４枚の羽根は展開されて開口部１ａを覆っている。撮影が行われ、このような露光走行の完了状態になると、フィルムの巻き上げに連動してシャッタのセット作動が行われる。そして、そのセット作動は、カメラ本体側の部材が突起部１４ｄを押し、ばね１５の力に抗してセット部材１４を時計方向へ回転することによって行われる。
【００２２】
セット部材１４は、その時計方向への回転によって、先ず、押動部１４ｂが被押動部４ｄを押して、先羽根駆動部材４を反時計方向へ回転させる。そして、先羽根群のスリット形成羽根が後羽根群のスリット形成羽根と所定量だけ重合した後、押動部１４ｃが被押動部５ｄを押して後羽根駆動部材５を反時計方向へ回転させ、以後、両駆動部材４，５を同時に回転させて、先羽根群を展開させ、後羽根群を重畳させていく。その後、セット部材１４のピン１４ｆが押圧部材１８の端面１８ｃに接触することになる。端面１８ｃの形状は、この接触時におけるピン１４ｆの移動方向に対して斜めになるように形成されているため、この接触後においては、ピン１４ｆが端面１８ｃを摺動し、押圧部材１８をばね２０に抗して時計方向へ回転させることになる。その開始位置が図３に示されている。尚、この図３は、鉄片部材８，９の取付け構成部を断面せずに示している。
【００２３】
その後、更にセット部材１４が回転すると、ピン１４ｆは、伝達部材２２の凸面２２ｂとも接するようになる。その時の状態が図４に示されている。この図４からも分かるように、先羽根駆動部材４に被押動部４ｄが形成されている付近の形状は、その一部が厚さ方向に２段になっており、該被押動部４ｄはシャッタ地板１側の段に形成されている。このような状態からセット部材１４が更に回転すると、伝達部材２２は、端面２２ｂをピン１４ｆに押されて反時計方向へ回転され、ピン２２ａと長孔１９ｃとの連結関係によって、押圧部材１９をばね２１に抗して時計方向へ回転させる。従って、それ以後は、二つの押圧部材１８，１９が同時に時計方向へ回転することになる。
【００２４】
更にセット部材１４が回転し、先羽根駆動部材４に取り付けられた鉄片部材８の被吸着面が、電磁石１６の吸着面に接触し、未だ、後羽根駆動部材５に取り付けられた鉄片部材９の被吸着面が、電磁石１７の吸着面に接触していない状態が図５に示されている。そして、この状態においては、既に押圧部材１８の押圧部１８ｂは鉄片軸８ｂの端部８ｂ1 を押しており、他方、ピン１４ｆは端面１８ｃとの摺接を終わり、端面１８ｄとの摺接関係に入ろうとしている。もしも、このような両者のタイミングが合わないと、押圧部１８ｂが鉄片軸８ｂに接触できない事態が生じるか、セット部材１４の回転に支障を及ぼすことになる。そこで、実施例においては、折曲部１８ａが弾性を有しており、タイミングのずれを吸収できるようになっている。そのため、図５の状態においては、折曲部１８ａが極めて僅かながら撓んでいることになる。しかし、タイミングのずれに心配がなければ、このように弾性を付与する必要がないし、また弾性を付与する場合でも、ピン１４ｆとの摺接側に付与することも考えられる。また、実施例においては、図５の状態において、押圧部材１８の押圧方向が、電磁石１６の吸着面に対して略直交する方向となるように設定されている。
【００２５】
図５の状態から、セット部材１４を僅かに時計方向へ回転させた状態が図６に示されている。この状態においては、鉄片部材９の被吸着面も電磁石１７の吸着面に接している。そして、押圧部材１９の押圧部１９ｂは鉄片軸９ｂの端部９ｂ1 を押しており、他方、ピン１４ｆは端面２２ｂとの摺接を終わり、端面２２ｃとの摺接関係に入ろうとしている。このときの両者のタイミングのずれを吸収するために、折曲部１９ａが弾性を有しており、この状態で極めて僅かながら撓むようにされていることは、上記の場合と同じであり、それに関連する上記の記載は、この場合にも当てはまる。また、この状態において、押圧部材１９の押圧方向が、電磁石１７の吸着面に対して略直交する方向となるように設定されていることも同じである。そして、この図６の状態においては、既に、先羽根群が展開状態となって開口部１ａを覆っており、後羽根群は重畳されて開口部１ａの上方位置に格納されている。
【００２６】
ところで、セット部材１４の押動部１４ｂ，１４ｃと各駆動部材４，５の被押動部４ｄ，５ｄとの関係は、図５の状態から以後図６の状態まで、先羽根駆動部材４を回転させないようにし、且つ図６に示されたように、鉄片部材９の被吸着面が電磁石１７の吸着面に正しく接触した瞬間に、後羽根駆動部材５を停止させることが理想である。しかし、そのようなことは製作上、不可能と言っても過言ではない。そのため、図６の状態から、セット部材１４を図７の位置まで更に回転させて各駆動部材を僅かに反時計方向へ回転させるようにし、各電磁石への接触が確実に行われるようにする。そして、その間、ピン１４ｆは、押圧部材１８の端面１８ｄと、伝達部材２２の端面２２ｃとに対して摺動し、原則として押圧部材１８，１９を動かさないようにしている。従って、図７の状態においては、押さえばね１０，１１が圧縮緊張され、各鉄片軸８ｂ，９ｂの端部８ｂ1 ，９ｂ1 は、各取付部４ｃ，５ｃから離れている。このようにして、シャッタのセット作動は完了し、セット部材１４は、カメラ側の部材によって押されたまま、図７の位置に留まっている。
【００２７】
このような図７の状態において、カメラのシャッタボタンが押されると、先ず、電磁石１６，１７に通電され、鉄片部材８，９が鉄芯部材１６ａ，１７ａに磁気的に吸着保持される。その後、カメラ本体側の部材による突起部１４ｄへの押圧が解かれると、セット部材１４はばね１５の力によって直ちに追従し、反時計方向へ回転する。このとき、セット部材１４の押動部１４ｂ，１４ｃが、被押動部４ｄ，５ｄから離れるが、先ず最初に、押動部１４ｃが被押動部５ｄから離れる。その離れようとする瞬間の状態が図８に示されている。また、図９には押動部１４ｃが被押動部５ｄから離れた瞬間であって、押動部１４ｂが被押動部４ｄから離れようとする瞬間が示されている。この図９に示す瞬間は、強力な駆動ばね１３と押さえばね１１との力により、駆動部材５が僅かに時計方向へ回転され、その取付部５ｃが鉄片軸９ｂの端部９ｂ1 に当接した瞬間でもある。
【００２８】
従って、この瞬間に、上記した当接の衝撃によって、鉄片部材９に対して電磁石から離反させる力が大きく働くが、たとえタイミングがずれて押動部１４ｃが被押動部５ｄから離れていても、押圧部材１９の押圧部１９ｂが鉄片軸９ｂを押しているので、離反させられるようなことがない。このことから分かるように、電磁石１７の吸着力は、上記のような衝撃力に対して確実に耐え得る程には必要なく、衝撃力が加わることなしに駆動ばね１３によって作用される離反力にのみ耐え得る範囲で良いことになる。従って、消費電力を節約することができ、且つ駆動部材５を所定の作動開始時機まで確実に保持しておくことが可能となる。その後、セット部材１４が、図９の状態より更に反時計方向へ回転すると、次の瞬間には、押動部１４ｂが被押動部４ｄから離れ、先羽根駆動部材４は、強力な駆動ばね１２と押さえばね１０との力により、僅かに時計方向へ回転される。このときの作動と、それによる効果については、上記した後羽根駆動部材５についての説明と重複するので、その説明を省略する。
【００２９】
他方、図９から分かるように、このとき、セット部材１４のピン１４ｆは、押圧部材１８の端面１８ｄと、伝達部材２２の端面２２ｃとの摺接関係が終わり、夫々端面１８ｃと端面２２ｂに対する摺接関係に移る瞬間であるから、上記のようにしてセット部材１４の各押動部１４ｃ，１４ｂが各駆動部材５，４の被押動部５ｄ，４ｄから離れた後には、各ばね２０，２１の付勢力によって押圧部材１８，１９に反時計方向への回転を許すことになる。それによって、押圧部１８ｂ，１９ｂによる各鉄片部材８，９の押圧は解かれ、該押圧部１８ｂ，１９ｂを鉄片部材８，９の作動軌跡外へ移動させることになる。しかしながら、既に各駆動部材４，５の取付部４ｃ，５ｃは、各鉄片部材８，９の端部８ｂ1 ，９ｂ1 に接触しているので、上記したような衝撃的力は生じず、各駆動部材４，５は確実に露光走行開始の初期位置に保持されている。このようにして、セット部材１４が図１に示された初期位置に復帰した状態が図１０に示されている。
【００３０】
その後、制御回路からの信号によって先羽根用の電磁石１６に対する通電が断たれると、先羽根駆動部材４は強力な駆動ばね１２の駆動力によって急速に時計方向へ回転する。そのため、展開して開口部１ａを覆っていた先羽根群は、駆動ピン４ｂによって作動され、羽根相互の重なりを深めつつ開口部１ａを開放し、下方に走行していく。そして、最後に、駆動ピン４ｂが緩衝部材２に衝突することによって、先羽根群が開口部１ａ内へバウンドするのが防止され、停止する。このようにして先羽根駆動部材４が露光走行を開始してから所定時間経過すると、後羽根用の電磁石１７に対する通電が断たれる。その結果、後羽根駆動部材５は駆動ばね１３によって時計方向へ回転され、開口部１ａの上方位置に格納されていた後羽根群が、駆動ピン５ｂによって作動され、展開して開口部１ａを閉じていく。そして、最後に、駆動ピン５ｂが緩衝部材３に衝突することによって、後羽根群のバウンドが防止され、停止する。図１は、このときの状態を示している。
【００３１】
尚、上記の実施例の構成においては、押圧部材１９にばね２１をかけているが、伝達部材２２に掛けても差し支えない。また、配置次第によっては伝達部材２２は必須ではなく、また押圧部材１８側に伝達部材を設けてもよい。更に、各押圧部材１８，１９の折曲部１８ａ，１９ａに弾性を付与しているが、各押圧部材１８，１９全体を弾性材料で製作しても構わない。その場合には、ばね２０，２１を省くことも可能となる。また、実施例においては、各押圧部１８ｂ，１９ｂの形状が、鉄片部材８，９側に凸状をした円弧面として形成されているが、平面であっても構わない。但し、力の集中という点から、また露光作動に先立って退避をスムーズに行えるようにする点（押圧部はカメラの不使用中、長期間、鉄片部材と接触状態にあるため、環境条件によっては接着性を帯びることがある）から、円弧面か球面とすることが好ましい。その場合、円弧面や球面を押圧部材に直接形成する必要はなく、別部品として製作し押圧部材に一体化するようにしても差し支えない。
【００３２】
図１１は、上記した鉄片部材９の変形例を説明するためのものである。勿論、鉄片部材８についても同じことが言える。但し、両鉄片部材８，９を同じ形状にしなければならないということはない。また、この図１１においては、特に混乱を生じる虞もないので各部品，部位には上記の実施例に用いたものをそのまま用いている。この図に示すように、鉄片部材９の鉄片９ａと、電磁石１７の鉄芯部材１７ａの形状は、上記の実施例と同じである。異なるのは、鉄片軸９ｂの端部９ｂ1の形状にある。上記の実施例においては、押圧部材１９の押圧部１９ｂに押される面が平面であるが、図１１の場合には、吸着部の中心線Ｌ上に中心点を有する球面となっている。この面は円弧面であってもそれなりの意味を持つ。このような面とすることによって、押圧部１８ｂ，１９ｂの形状に関して上記した効果と同じ効果が得られるほか、鉄芯部材１７ａ，鉄片部材９，押圧部材１９の接触関係に多少のずれが生じてもスムーズに接触させることが可能となる。
【００３３】
次に、本発明が、同じダイレクトタイプではあるが、駆動部材と鉄片部材との間に、押さえばね１０，１１を介在させていないシャッタにも適用できることを説明する。図１２（ａ）は、特開平４−６２５２９号公報に記載された第９図と実質的に同じである。この構成のシャッタについては上記の公報に詳しく記載されているが、ここで簡単に説明をしておく。但し、用語と符号の用い方については独自の使い方をする。
【００３４】
シャッタ地板に立設された軸Ａには、後羽根駆動部材Ｂが回転可能に取り付けられている。駆動部材Ｂには孔Ｂ1 と折曲部Ｂ2 が形成され、またシャッタ地板の背部に配置された後羽根群を作動させるための曲げ部（駆動ピン）Ｂ3 が形成されている。この駆動部材Ｂの背面に立設された軸Ｂ4 には揺動部材Ｃが回転可能に取り付けられている。揺動部材Ｃには背面側にローラーＣ1 が取り付けられ、また折曲部Ｃ2 は孔Ｂ1 から駆動部材Ｂの表面側に突き出ている。そして、ローラーＣ1 はシャッタ地板に形成された長孔Ｄに挿入されている。駆動ばねＥはシャッタ地板に立設された軸Ｆと折曲部Ｃ2 に掛けられ、直接的には揺動部材Ｃに付勢力を与えている。また、上記の折曲部Ｂ2 には軸Ｇが固定され、そこに鉄片部材Ｈが取り付けられている。この鉄片部材Ｈの被吸着面は左上方の端面である。
【００３５】
この図１２（ａ）は、シャッタのセット状態を示している。従って、この状態においては、鉄片部材Ｈの被吸着面が図示していない電磁石の吸着面に接していることになる。また、駆動部材Ｂは、図示していないセット部材がローラーＣ1 を押すことにより、揺動部材Ｃを介して反時計方向へ回転され、鉄片部材Ｈの被吸着面が図示していない電磁石の吸着面に接した状態で、その回転を停止された状態にある。セット部材は駆動部材Ｂが停止した後も僅かに回転し、駆動部材Ｂと揺動部材Ｃとの相対位置を変えて図の状態になっている。このことから分かるように、このシャッタの構成は、上記の実施例における押さえばね１１の機能を、揺動部材Ｃを備えることによって駆動ばねＥが果たしているといえる。そして、このシャッタは、ダイレクトタイプであるから、シャッタがレリーズされるまで、セット部材によってこの状態が保たれることになる。
【００３６】
ところで、このようなシャッタは、出願人によって実施され、既に公知である。その実施に当たって、上記の公報に記載の発明とは関係がないため該公報には詳細な記載がないものの、以下のような構成が採用されている。その点を図１２（ｂ）によって説明する。用いられている符号は図１２（ａ）と共通である。即ち、図１２（ａ）に示された鉄片部材Ｈは、図１２（ｂ）に示されたような形状をして、軸Ｇに回転可能に取り付けられている。従って、折曲部Ｂ2 から更に折り曲げられた二つの折曲部Ｂ5 ，Ｂ6 が鉄片部材Ｈの回転止めの役目をしている。
【００３７】
このように、鉄片部材Ｈを軸Ｇに固定せず、回転可能にしている理由は、鉄片部材Ｈが回転できると、組立上に誤差があっても、被吸着面を電磁石の吸着面に対して適正に接触させることができるからである。しかし、単に、回転可能にしただけの場合には回転方向への位置調整は可能であってもその他の方向、例えば回転方向と直交する方向への調整は不可能である。そのため、実際の実施品では、鉄片部材Ｈが軸Ｇに対し、どちらの方向へも変位可能にするために、鉄片部材Ｈの孔の径と軸Ｇの径との間に０．１ｍｍ程度の間隙Ｓを与えている。
【００３８】
このように、間隙Ｓが大きいと、電磁石による保持力が小さい場合には、既に説明したと同じように問題が発生する。即ち、シャッタレリーズによって電磁石に通電し、ローラーＣ1 からセット部材が退避したとき、駆動ばねＥによって揺動部材Ｃが反時計方向へ回転し、折曲部Ｃ2 が孔Ｂ1 の縁に当たってからは駆動部材Ｂが時計方向へ僅かに回転し、軸Ｇが鉄片部材Ｈの孔の内壁（それまで電磁石の方へ押していた壁とは反対側の壁）に当接し、鉄片部材Ｈに衝撃力を与えることになる。このような衝撃力による影響は、セット部材が退避する後まで、鉄片部材Ｈを電磁石方向へ押圧しているようにした押圧部材を設けることによって防ぐことができる。従って、本発明は、このようなシャッタにも適用することが可能である。尚、この説明からも分かるように、本発明においては、必要に応じて、各押動部や各被押動部としてローラーを用いるようにしても構わない。
【００３９】
【発明の効果】
上記のように、本発明によれば、ダイレクトタイプのフォーカルプレンシャッタにおいて、露光走行に先立ってセット部材が初期位置へ復帰するに際し、該セット部材による押圧が解けることによって駆動部材が露光作動開始位置に僅かに作動したとき、その作動によって鉄片部材に当接する力が鉄片部材を電磁石から離反させることのないようにしたものであるから、駆動部材の走行のタイミングを適正に維持でき、且つそれによって消費電力を節約することも可能となる。
【図面の簡単な説明】
【図１】実施例の平面図であって、各羽根群の露光走行完了状態を示している。
【図２】本実施例における各羽根群の支持構成を説明するための平面図である。
【図３】実施例の平面図であって、先側押圧部材の移動開始状態を示している。
【図４】実施例の平面図であって、後側押圧部材の移動開始状態を示している。
【図５】実施例の平面図であって、先羽根駆動部材のセット完了状態を示している。
【図６】実施例の平面図であって、後羽根駆動部材のセット完了状態を示している。
【図７】実施例の平面図であって、セット作動の完了状態を示している。
【図８】実施例の平面図であって、セット部材の復帰作動において後羽根駆動部材からセット部材が離れようとしている瞬間を示している。
【図９】実施例の平面図であって、セット部材の復帰作動において先羽根駆動部材からセット部材が離れようとしている瞬間を示している。
【図１０】実施例の平面図であって、セット部材が初期位置への復帰を完了した状態を示している。
【図１１】本実施例中に示した鉄片部材の変形例を説明するための図面であって、図１１（ａ）は平面図、図１１（ｂ）は図１１（ａ）の底面図である。
【図１２】本発明を適用することができる公知のシャッタ構成を説明するための図面であって、図１２（ａ）は平面図、図１２（ｂ）は図１２（ａ）の要部斜視図である。
【符号の説明】
１                          シャッタ地板
４                          先羽根駆動部材
４ｂ，５ｂ                  駆動ピン
４ｃ，５ｃ                  取付部
４ｄ，５ｄ                  被押動部
５                          後羽根駆動部材
８，９                      鉄片部材
８ａ，９ａ                  鉄片
８ｂ，９ｂ                  鉄片軸
８ｂ1 ，９ｂ1               端部
１０，１１                  押さえばね
１２，１３                  駆動ばね
１４                        セット部材
１４ｂ，１４ｃ              押動部
１４ｄ                      突起部
１４ｆ，２２ａ              ピン
１６，１７                  電磁石
１６ａ，１７ａ              鉄芯部材
１８，１９                  押圧部材
１８ａ，１９ａ              折曲部
１８ｂ，１９ｂ              押圧部
１８ｃ，１８ｄ，２２ｂ，２２ｃ    端面
１９ｃ                      長孔
２２                        伝達部材
【図１】
0003789162.tif 000002
【図２】
0003789162.tif 000003
【図３】
0003789162.tif 000004
【図４】
0003789162.tif 000005
【図５】
0003789162.tif 000006
【図６】
0003789162.tif 000007
【図７】
0003789162.tif 000008
【図８】
0003789162.tif 000009
【図９】
0003789162.tif 000010
【図１０】
0003789162.tif 000011
【図１１】
0003789162.tif 000012
【図１２】
0003789162.tif 000013